(57)【要約】【課題】  取付作業が容易かつ安全な空気清浄機および天井取付型空気調和機を提供する。【解決手段】  空気清浄機２の空気調和機１と対向する面に空気調和機１の周縁部に設けられた雌ネジ２５に対応してネジ止めされる第１ネジ孔８と、空気清浄機２のパネル３と対向する面上に第１ネジ孔８及びパネルのネジ孔２０と同軸上に設けられドライバーを挿通する第１挿通孔９と、第１挿通孔９を閉塞開放する板ナット１２を設ける。【選択図】        図４
2005127573.tif 000002
【特許請求の範囲】
【請求項１】
空気吸込口かつ空気吹出口である天井開口部に取付けられるパネルと天井内部に設けられる空気調和機本体との間に取付けられる空気清浄機であって、
高電圧を用いて集塵を行うことにより空気を清浄化する空気清浄化手段と、その空気清浄化手段を内蔵した筐体とを備えたうえ、前記筐体の前記空気調和機本体と対向する面の少なくとも２箇所に前記空気調和機の周縁部に設けられたネジ孔に対応してネジ止めされる第１ネジ孔と、
前記筐体の前記パネルと対向する面上の少なくとも２箇所に前記第１ネジ孔及び前記パネル周縁部に設けられたネジ孔と同軸上に設けられネジ止め工具の一部を挿通可能とする孔径を有する第１挿通孔と、
前記筐体の前記第１挿通孔の近傍に、前記第１挿通孔を閉塞する第１の位置及び前記第１挿通孔を開放する第２の位置に移動可能に保持されるとともに、第１の位置にある場合に前記第１挿通孔に対応する位置に前記パネル周縁部に設けられたネジ孔とネジ止めされるネジ受け部を有するネジ止め部材とを備えたことを特徴とする空気清浄機。
【請求項２】
請求項１に記載の空気清浄機を天井開口部に取付けられるパネルと天井内部に設けられる空気調和機本体との間に一体に取付けて構成したことを特徴とする天井取付型空気調和機。
【発明の詳細な説明】
【技術分野】
【０００１】
この発明は、天井取付型空気調和機に取付ける空気清浄機および空気清浄機を取りつけた天井取付型空気調和機に関するものである。
【背景技術】
【０００２】
従来の天井取付型空気調和機の例として特許文献１にその構造が開示されている。天井取付型空気調和機は特許文献１の図面にも示されているように、調和空気を生成する空気調和機本体と室内空気の吸い込み及び調和空気の吹き出しのための通気孔を有するパネルからなる。天井取付型空気調和機の天井への設置は、空気吸込口かつ空気吹出口となる天井に形成された開口部を覆うように天井の室内側にパネルを取付けるとともに、パネルの取付けられた位置に対応する天井内部に空気調和機本体が置かれるように吊り下げ設置し、パネルの周縁部と空気調和機本体の周縁部の数箇所にネジ孔を形成し、そのネジ孔にネジを介してパネルと空気調和機本体を一体に螺着結合させることで行う。
【０００３】
ところで、近年、室内空気質（ＩＡＱ）の向上が求められてきており、既設の天井取付型空気調和機を備えた室内でも天井取付型清浄機の追加設置を行う要求が増えている。
その場合、設置のための費用の低減や設置作業の容易さを考慮した場合、既設の天井取付型空気調和機本体とパネルとの間に空気清浄機本体を挟んで三者を一体に取付けることが最適である。その場合、元の空気調和機のパネルは空気清浄機のパネルの役目も兼用することになる。
【０００４】
パネル、空気清浄機本体、空気調和機本体を一体的に取付けるためには、パネルの周縁部及び空気調和機本体周縁部に既に設けられているネジ孔を利用してネジ止めするのが有利であるから、空気清浄機本体のパネルに対向する面上でパネル周縁部のネジ孔に対応する位置、及び、空気清浄機本体の空気調和機本体に対向する面上で空気調和機本体周縁部のネジ孔に対応する位置にネジ孔を形成した上で、次の手順で行う。
（手順１）既設のパネルと空気調和機本体のネジ止めを全て外し、パネルを天井から除去する。
（手順２）空気清浄機本体を室内から天井開口部を介して天井内部に挿入し、空気調和機本体の下部と位置あわせをする。
（手順３）空気清浄機本体の空気調和機本体と対向する面上のネジ孔とそれに対応する空気調和機本体周縁部とのネジ孔を使ってネジ止めする。（これによって、空気清浄機本体と空気調和機本体とが結合する。）
（手順４）パネルを天井の開口部を覆うように天井の室内側の面に空気清浄機本体と位置あわせする。
（手順５）パネル周縁部のネジ孔とそれに対応する空気清浄機本体のパネルと対向する面上のネジ孔を使ってネジ止めする。（これによって、空気清浄機本体とパネルとが結合する。）
【０００５】
しかしながら、これらのネジ孔はパネルの室内側の面に対して垂直な同一直線状に位置するので手順３の作業が困難となる。図９に従来例の空気清浄機および天井取付型空気調和機の分解斜視図を示す。また、図１０に従来例の空気清浄機の取り付けブラケット部分の拡大図である。Ａはネジ孔を有する取り付けブラケット５４を装着する前の下方から見た図、Ｂはネジ孔を有する取り付けブラケットを装着した後の下方から見た図を示す。
そこで、空気清浄機本体のパネル３と対向する面上のネジ孔５１をドライバーが通過できる比較的大きな孔にしておき、手順３の作業の際には、その孔にドライバーを通過させて、その奥に位置する空気清浄機本体の空気調和機本体と対向する面上のネジ孔とそれに対応する空気調和機本体周縁部とのネジ孔である雌ネジ２５を使ってネジ止めする。そして手順５の作業の際にはパネル周縁部のネジ孔２０と同一径のネジ孔５３を有する取り付けブラケット５４を用意してそのネジ孔が空気清浄機本体のパネル３と対向する面上の比較的大きな孔に位置するように空気清浄機本体に取り付けた上で、パネル周縁部のネジ孔２０とブラケットのネジ孔５３とをネジ２１でネジ止めするようにしていた。
【０００６】
【特許文献１】特開２０００−２１３７７１号公報
【発明の開示】
【発明が解決しようとする課題】
【０００７】
従来の空気清浄機および天井取付型空気調和機は以上のように構成されているので、ブラケット５４を空気清浄機本体に取り付ける作業が必要になり、作業中にブラケット５４が落下する場合もあり、作業性が良くなく、作業者に負担をかけていた。
また、既存の空気調和機とカバーの間に空気清浄機を設けるために、空気清浄機を小型化する要求も強い。すると、図１０に示すような装置では、ブラケット５４の四隅をネジ止めするため、空気清浄機の隅にブラケット５４を設けるためのスペースを確保することが困難となる場合もあった。
【０００８】
本発明は上記事情に着目してなされたものであり、その目的とするところは、取付作業が容易な空気清浄機および天井取付型空気調和機を提供することにある。
【課題を解決するための手段】
【０００９】
この発明に係る空気清浄機は、空気吸込口かつ空気吹出口である天井開口部に取付けられるパネルと天井内部に設けられる空気調和機本体との間に取付けられる空気清浄機であって、高電圧を用いて集塵を行うことにより空気を清浄化する空気清浄化手段と、その空気清浄化手段を内蔵した筐体とを備えたうえ、筐体の前記空気調和機本体と対向する面の少なくとも２箇所に空気調和機の周縁部に設けられたネジ孔に対応してネジ止めされる第１ネジ孔と、筐体のパネルと対向する面上の少なくとも２箇所に第１ネジ孔及びパネル周縁部に設けられたネジ孔と同軸上に設けられネジ止め工具の一部を挿通可能とする孔径を有する第１挿通孔と、筐体の第１挿通孔の近傍に、第１挿通孔を閉塞する第１の位置及び第１挿通孔を開放する第２の位置に移動可能に保持されるとともに、第１の位置にある場合に第１挿通孔に対応する位置にパネル周縁部に設けられたネジ孔とネジ止めされるネジ受け部を有するネジ止め部材とを備えたものである。
【００１０】
この発明に係る天井取付型空気調和機は、空気清浄機を天井開口部に取付けられるパネルと天井内部に設けられる空気調和機本体との間に一体に取付けて構成したものである。
【発明の効果】
【００１１】
この発明によれば、空気清浄機本体の筐体に保持されたネジ止め部材を第２の位置から第１の位置に簡単に移動することができるので、作業者は容易に空気清浄機を空気調和機に取り付けることができる。
また、ネジ止め部材が移動可能に空気清浄機本体の筐体に保持されているので、作業中に部材を落下させるおそれがない。
【発明を実施するための最良の形態】
【００１２】
実施の形態１．
図１はこの実施の形態１による空気清浄機および天井取付型空気調和機の分解斜視図である。また、図２は同装置において、空気清浄機が取り付けられる前の空気調和機及びカバーの断面図である。図３は同装置において空気清浄機が取り付けられた後の空気調和機、空気清浄機、カバーの断面図である。図４は空気清浄機の板ナット取り付け部分の拡大図で、Ａは板ナットが第１挿通孔を塞ぐことのない第２の位置にあるときの下方から見た図、Ｂは板ナットが第１挿通孔を塞ぐ第１の位置にあるときの下方から見た図である。
空気調和機１は空気調和機吊りボルト４及び固定用のナット５，６により、天井上部の建物から吊り下げられている。ボルト通し孔が設けられた固定用板２７が空気調和機１の側面から突出しており、ナット５により高さの位置決めをした後、ボルト通し孔にボルトを通し、さらにナット６を締め込むことにより、空気調和機１は建物に吊り下げ固定されている。空気調和機１の下部には空気清浄機２が設けられ、そのまた下部には、その下面が室内に面するパネル３が設けられている。
【００１３】
空気調和機１の下面、即ち室内を向いた面の周縁部四隅には、ネジ孔である雌ネジ２５が設けられている。空気清浄機２の筐体の上面、即ち空気調和機１と向かい合う面の周縁部四隅には、ネジ１０が貫通する第１ネジ孔８が設けられている。周縁部四隅の雌ネジ２５と第１ネジ孔８は、空気調和機１の下面に空気清浄機２を取り付けると、それぞれ同軸上となる位置に設けられている。本実施の形態１において、雌ネジ２５及び第１ネジ孔８は４つ設けたものを示したが、落下する虞のない強度さえ確保出来るのであれば、少なくとも２箇所に設けられていればよい。
空気清浄機２の第１ネジ孔８が設けられた下部の筐体内部は空洞になっている。そして、第１ネジ孔８の設けられた第１ネジ孔８と同軸上の空気清浄機２の筐体下面には、ネジ止め工具の一部（例えばドライバーの握り手部分を除く部分）を挿入可能とする孔径（例えば直径３０ｍｍ程度）を有する第１挿通孔９が設けられている。
【００１４】
第１ネジ孔８が設けられた空気清浄機２の四隅下部筐体内部は空洞になっているが、空気清浄機２の中央部分は空気調和機１の吸い込み口に連通する吸い込み通路と、空気調和機１の吹出口に連通する吹出通路とに仕切られており、吸い込み通路には図示しない電子式の集塵機が設けられている。
図４に示すように、第１挿通孔９の近傍にはピン１９を中心に回動可能に固定されたネジ止め部材である板ナット１２が設けられ、その板ナット１２にはネジ受け部である雌ネジ１４が設けられている。第１挿通孔９の近傍にストッパ１３が設けられており、回動可能な板ナット１２はストッパと当接する位置にあると、四隅に設けられた板ナット１２の雌ネジとパネル３のネジ孔２０が同一軸上になるよう設けられている。
【００１５】
続いて、空気清浄機２の取り付け手順について説明する。図２に示すように、空気調和機１は吊りボルト４により建物の一部に吊り下げられ、空気調和機１の下面に設けられた雌ネジ２５にネジ１０を螺着することにより空気調和機１の下面にパネル３が取り付けられている。
作業者は、パネル下面に露出したネジ１０を取り外し、パネル３を取り外す。空気調和機１の下部に空気清浄機２を挿入可能なスペースを設けるために、空気調和機を上方へと移動させる。まず、空気調和機１の上部縦方向の位置決めするために吊りボルト４に取り付けられているナット５を回転させ上方へと移動させる。四隅に設けられている全てのナット５を移動させ、その後、ボルト通し孔が設けられた固定用板２７を支えているナット６を回転させ上方へと移動させる。空気清浄機を挿入することのできる十分なスペースを確保できるだけ空気調和機を上方へと移動させた後に、図５に示すように吊りボルト４に吊りブラケット１６を装着する。対角線上の２箇所の隅に吊りブラケット１６を装着した後、空気清浄機の隅に設けられた吊りフック１７に吊りブラケット１６の先端を引っかけることにより、作業員が支えておかなくてもよいように空気清浄機を仮止めする。
【００１６】
その後、ドライバーの先端にネジをのせ、予め板ナット１２が第１挿通孔９を塞ぐことのない位置（第２の位置）にして、第１挿通孔９からドライバーを挿入し、さらに空気清浄機２の上面の第１ネジ孔８にネジ１０を挿入し、空気調和機１の雌ネジ２５とネジ１０を螺着させ、空気調和機１と空気清浄機２を完全に固定する。
ここで、完全に固定されたので不要となった吊りブラケット１６を吊りボルト４及び吊りフック１７から外す。そして板ナット１２をストッパ１３に当接する位置（第１の位置）まで回動させ、第１挿通孔９を板ナット１２で塞ぐ。
そして、板ナット１２に設けられた雌ネジ１４とパネル周縁部に設けられたネジ孔２０が同軸上になるようにパネル３を支え、雌ネジ１４とネジ２１を螺着させることにより、図３に示すようにパネル３を空気清浄機２に固定する。
【００１７】
図６は実施の形態１の変形例を示す空気清浄機の板ナット取り付け部分の拡大図で、Ａは板ナットが第１挿通孔を塞ぐことのない第２の位置にあるときの下方から見た図、Ｂは板ナットが第１挿通孔を塞ぐ第１の位置にあるときの下方から見た図、ＣはＢの側面図である。
本実施の形態１において、空気清浄機内部に設けられた板ナット１２を回動容易となるように、板ナット１２に突起２２を設け、第１挿通孔９からその突起２２が空気清浄機２下面方向へ突出するように設置し、突起２２を操作することにより板ナット１２を回動させるようにすると、第１挿通孔９に指を入れ、手探りで板ナット１２を探るようなことをしなくても、簡単に板ナット１２を操作することができる。
【００１８】
この場合、更に板ナット１２に設けた突起２２と係合する位置に第１挿通孔９の一端に切り込み２３を設けると、第１挿通孔９がより完全に閉塞する。第１挿通孔９を完全に閉塞させることにより、空気清浄機２からエアーの漏れが少なくなる。
四隅の空洞部と吹出通路及び吸い込み通路とは基本的に遮断する構造であるが、四隅の空洞部と吹出通路及び吸い込み通路を完全に遮断することはできない。すると微細な隙間から空洞部に流れ込んだ吹出通路及び吸い込み通路のエアーが天井裏等に流れ込む場合がある。すると天井裏が室内に比べ圧力が高くなるので、天井裏の浄化されていないエアーが室内に流れ込む。そのため、空気清浄機２からのエアー漏れは極力少なくなるよう、即ち第１挿通孔９からのエアーの漏れは極力少ない方が望ましいのである。
【００１９】
本実施の形態１において、板ナット１２を空気清浄機内部に設けスライド可能としたが、板ナット１２をパネル３と向き合った面の外部に設けてもよい。板ナット１２に突起２２を設けた場合と同様に回動操作容易となる。しかし、強度を確保するために板ナット１２の一端に係合可能なフックを空気清浄機外面に設けなければならず、また、空気清浄機外面から突出することのないように、空気清浄機外面の一部の板ナット１２が動く範囲に凹部を設けなければならない場合もある。
【００２０】
以上説明したように、本実施の形態１において、空気清浄機本体の筐体に保持された板ナット１２を第２の位置にした状態で、第１挿通孔９にドライバーを挿通することにより、空気清浄機２を空気調和機１に固定し、板ナット１２を第２の位置から第１の位置に簡単に移動し、ネジにて空気清浄機２にカバー３を固定することができるので、作業者は容易に空気清浄機２を既存の空気調和機１に取り付けることができる。
また、板ナット１２が移動可能に空気清浄機本体の筐体に保持されているので、作業中に部材を落下させるおそれがない。
また、本実施の形態１の空気清浄機２を既存の空気調和機１に設置すると、空気調和機本体に塵が進入しないために、空気調和機本体の清掃点検回数を減らすことができる。
【００２１】
実施の形態２．
図７はこの発明の実施の形態２を示す空気清浄機の板ナット取り付け部分の拡大図で、Ａは板ナットが第１挿通孔を塞ぐことのない第２の位置にあるときの下方から見た図、Ｂは板ナットが第１挿通孔を塞ぐ第１の位置にあるときの下方から見た図である。板ナット１２の近辺以外の構成は、実施の形態１と同様であるのでその説明は省略する。
板ナット１２にスリット３０を、また空気清浄機２の内側に突起３１をそれぞれ設け、スリット３０と突起３１によりスライド機構とする。第１挿通孔９を中心として、スライド機構の突起３１とほぼ点対称の位置に突起からなるストッパ１３を設け、ストッパ１３と板ナット１２が当接する位置（第１の位置）において、四隅の板ナット１２の雌ネジ１４とパネル周縁部に設けられたネジ孔２０がそれぞれ同軸上になるようにしておく。ここで、ストッパ１３を用いる例を示したが、ストッパ１３を用いずにスリット３０の孔の長さを調節し、第１挿通孔９を塞ぐ方向に板ナット１２を移動させた時に、板ナット１２の雌ネジ１４とパネル周縁部に設けられたネジ孔２０が同軸上になるようにしてもよい。
空気調和機１と空気清浄機２を固定する時は、板ナット１２は、第１挿通孔９を塞ぐことのない位置（第２の位置）にしておく。実施の形態１と同様にドライバーを用い空気調和機１に空気清浄機２を螺着し、その後、板ナット１２を第１の位置にスライドさせ、雌ネジ１４とネジを螺着させることにより、パネルを空気清浄機２に固定する。
【００２２】
また、実施の形態１と同様に、板ナット１２に突起を設け、第１挿通孔９からその突起が突出するように設置し、簡単に板ナット１２を操作できるようにしても良い。更に板ナット１２に設けた突起と係合する位置に第１挿通孔９の一端に切り込みを設け、第１挿通孔９がより完全に閉塞するようにしてもよい。
また、実施の形態１と同様に、板ナット１２をパネルと向き合った面の外部に設けてもよい。板ナット１２に突起２２を設けた場合と同様に操作容易となる。しかし、強度を確保するために板ナット１２の一端に係合可能なフックを空気清浄機外面に設けなければならず、また、空気清浄機外面から突出することのないように、空気清浄機外面の一部の板ナット１２が動く範囲に凹部を設けなければならない場合もある。
本実施の形態２において、実施の形態１と同様に作業者は容易に空気清浄機を空気調和機に取り付けることができると共に、作業中に部材を落下させるおそれがない。
【００２３】
実施の形態３．
図８はこの発明の実施の形態３を示す空気清浄機の板ナット取り付け部分の拡大図で、Ａは板ナットが第１挿通孔を塞ぐことのない第２の位置にあるときの下方から見た図、Ｂは板ナットが第１挿通孔を塞ぐ第１の位置にあるときの下方から見た図、ＣはＡの側面図である。
ネジ止め部材の近辺以外の構成は、実施の形態１と同様であるのでその説明は省略する。
空気清浄機２の下面に蝶番４１を用いて板ナット１２が取り付けられている。板ナット１２の端部には固定ネジを挿入可能なネジ孔４２が、また板ナット１２のほぼ中央部には雌ネジ１４がそれぞれ設けられている。また、空気清浄機２のネジ孔４２が当接する場所には、雌ネジ４３が設けられており、蝶番４１を中心に回動可能な板ナット１２が空気清浄機の下面と接する時には、ネジを用いて第１挿通孔を塞ぐ位置（第１の位置）とすることができる。第１の位置において、四隅の板ナット１２の雌ネジ１４とパネル周縁部に設けられたネジ孔２０がそれぞれ同軸上になるようにしておく。
【００２４】
空気調和機１と空気清浄機２を固定する時は、板ナット１２は、第１挿通孔９を塞ぐことのない位置（第２の位置）にしておく。実施の形態１と同様にドライバーを用い空気調和機１に空気清浄機２を螺着し、その後、板ナット１２を第１の位置にして、雌ネジ４３とネジ４０を螺着し、第１の位置で固定する。そして、雌ネジ１４とネジ２１を螺着させることにより、パネルを空気清浄機に固定する。
本実施の形態３において、実施の形態１及び２と同様に作業者は容易に空気清浄機を空気調和機に取り付けることができると共に、作業中に部材を落下させるおそれがない。
第１の位置で固定する際、ネジ４０を用いなければならないため、部材点数及び作業工程が増えるが、板ナット１２を空気清浄機前面に設けたので、板ナット１２を第２の位置から第１の位置とする時、作業が容易となる。
【図面の簡単な説明】
【００２５】
【図１】この実施の形態１を示す空気清浄機および天井取付型空気調和機の分解斜視図である。
【図２】この発明の実施の形態１を示す空気清浄機が取り付けられる前の空気調和機及びカバーの断面図である。
【図３】この発明の実施の形態１を示す空気清浄機が取り付けられた後の空気調和機、空気清浄機、カバーの断面図である。
【図４】この発明の実施の形態１を示す空気清浄機の板ナット取り付け部分の拡大図である。Ａは板ナットが第１挿通孔を塞ぐことのない第２の位置にあるときの下方から見た図、Ｂは板ナットが第１挿通孔を塞ぐ第１の位置にあるときの下方から見た図である。
【図５】この発明の実施の形態１を示す空気清浄機を仮止めする際の、吊りボルトに吊りブラケットを装着した斜視図である。
【図６】この発明の実施の形態１の変形例を示す空気清浄機の板ナット取り付け部分の拡大図で、Ａは板ナットが第１挿通孔を塞ぐことのない第２の位置にあるときの下方から見た図、Ｂは板ナットが第１挿通孔を塞ぐ第１の位置にあるときの下方から見た図、ＣはＢの側面図である。
【図７】この発明の実施の形態２を示す空気清浄機の板ナット取り付け部分の拡大図で、Ａは板ナットが第１挿通孔を塞ぐことのない第２の位置にあるときの下方から見た図、Ｂは板ナットが第１挿通孔を塞ぐ第１の位置にあるときの下方から見た図である。
【図８】この発明の実施の形態３を示す空気清浄機の板ナット取り付け部分の拡大図で、Ａは板ナットが第１挿通孔を塞ぐことのない第２の位置にあるときの下方から見た図、Ｂは板ナットが第１挿通孔を塞ぐ第１の位置にあるときの下方から見た図、ＣはＡの側面図である。
【図９】従来例を示す空気清浄機および天井取付型空気調和機の分解斜視図である。
【図１０】従来例の空気清浄機の取り付けブラケット部分の拡大図で、Ａはネジ孔を有する取り付けブラケットを装着する前の下方から見た図、Ｂはネジ孔を有する取り付けブラケットを装着した後の下方から見た図である。
【符号の説明】
【００２６】
１  空気調和機
２  空気清浄機
３  パネル
８  第１ネジ孔
９  第１挿通孔
１２  板ナット
２５  雌ネジ
【図１】
2005127573.tif 000003
【図２】
2005127573.tif 000004
【図３】
2005127573.tif 000005
【図４】
2005127573.tif 000006
【図５】
2005127573.tif 000007
【図６】
2005127573.tif 000008
【図７】
2005127573.tif 000009
【図８】
2005127573.tif 000010
【図９】
2005127573.tif 000011
【図１０】
2005127573.tif 000012